(57)【要約】【課題】  原料粒状物の表面に付着した異物を除去し、有用物を変性、変質あるいは実質的に除去することなく、表層部に表面加工を施して粗面化し、原料粒状物とは異なる表面特性を有する表面加工粒状物を製造する。【解決手段】  原料供給部１７から原料粒状物２ａを供給し、保持部３ａおよび透孔３ｂを有する円筒状の保持筒３と、その内側で回転する回転加工体４との間に粒状物２の流路３ｅを形成し、加工滓除去部８により保持筒３の上部から透孔３ｂを通して吸引して粒状物２を浮遊させた状態で回転加工体４の回転によりその周辺部から突出する加工片を粒状物２と接触させて、異物の除去とともに、粒状物に表面加工を施して表層部を粗面化し、表面特性を改善する。【選択図】      図１
2019055372.tif 000002
【特許請求の範囲】
【請求項１】
内周面に沿って回転移動する粒状物を一時的に保持可能な保持部および透孔を有する円筒状の保持筒と、
保持筒内の軸方向に設けられた回転軸に取り付けられて回転し、周辺部から突出する加工片との接触により異物の除去とともに、粒状物に表面加工を施して表層部を粗面化する回転加工体と、
保持筒の始端部へ原料粒状物を供給する原料供給部と、
保持筒の終端部から製品粒状物を取出す製品取出部と、
保持筒の上部から透孔を通して吸引し、粒状物を浮遊させるとともに、微細な異物および加工滓を保持筒外へ排出する加工滓除去部とを備えている
ことを特徴とする表面加工粒状物の製造装置。
【請求項２】
回転加工体は、複数組の加工ユニットが回転軸に積層状に取り付けられたものであり、
加工ユニットは、
回転軸に取り付けられる板状体の周辺部から放射状に突出する加工片が、保持筒との間の流路で流動する粒状物と接触して粗面を形成する１または複数の粗面形成材、および
回転軸に取り付けられる基部の周辺部に形成された溜め部に存在する粒状物を、保持筒の内周面に向け放出分散させるように、基部から放射状に伸びる放出片を有する放出分散材を含む
ことを特徴とする請求項１記載の表面加工粒状物の製造装置。
【請求項３】
表面加工により生じた破砕物を、保持筒の下部から透孔を通して、保持筒外へ排出する破砕物除去部を備えている請求項１または２記載の装置。
【請求項４】
回転加工体は、保持筒内周部に沿った粒状物の流れを制御するせき部材を加工ユニット内または外に有する請求項１ないし３のいずれかに記載の装置。
【請求項５】
せき部材は、外周部に形成された山部と谷部の組合せにより粒状物の流れを制御するものである請求項４記載の装置。
【請求項６】
回転加工体の加工ユニットには、周辺部の高さが異なる複数の粗面形成材が積層され、回転加工体の周辺部に段差が形成されている請求項１ないし５のいずれかに記載の装置。
【請求項７】
回転加工体を構成する部材は、回転方向および／または軸方向に揺動または摺動できるように回転軸に緩やかに取り付けられている請求項１ないし６のいずれかに記載の装置。
【請求項８】
保持筒は単一または複数の多孔板から円筒状に構成され、筒径を変化させる筒径調節材を有する請求項１ないし７のいずれかに記載の装置。
【請求項９】
保持筒を構成する複数の多孔板は、同一または異なる保持部および／または透孔を有する請求項８記載の装置。
【請求項１０】
原料供給部は、保持筒に連なる搬送筒内に設けられた搬送スクリューを含む請求項１ないし９のいずれかに記載の装置。
【請求項１１】
製品取出部は、保持筒から取出される製品粒状物を選別する選別部を備える請求項１ないし１０のいずれかに記載の装置。
【請求項１２】
内周面に沿って回転移動する粒状物を一時的に保持可能な保持部および透孔を有する円筒状の保持筒へ原料粒状物を供給し、
保持筒の上部から透孔を通して吸引して粒状物を浮遊させた状態で、
保持筒内の軸方向に設けられた回転軸に取り付けられた回転加工体を回転させ、
回転加工体の周辺部から突出する加工片との接触により異物の除去とともに、粒状物に表面加工を施して表層部を粗面化する
ことを特徴とする表面加工粒状物の製造方法。
【請求項１３】
原料粒状物が表層部に難破壊性および／または難透水性の皮膜層を有する粒状物であり、表面加工は難破壊性および／または難透水性の皮膜層に不規則で微細な傷を形成して粗面化する加工である請求項１２記載の製造方法。
【請求項１４】
請求項１ないし１１のいずれかに記載の装置を用いる請求項１２または１３記載の製造方法。
【請求項１５】
請求項１２ないし１４のいずれかに記載の製造方法によって得られる表面加工粒状物。
【請求項１６】
請求項１５記載の表面加工粒状物を２次加工して得られる加工品。
【発明の詳細な説明】
【技術分野】
【０００１】
本発明は、米、麦類、そば等の穀粒や、トウモロコシ、豆類、ゴマ等の植物の種子を起源とする粒状食品原料その他の粒状物の表面に付着した異物を除去し、表面加工を施した表面加工粒状物を製造する装置、製造方法、および得られる表面加工粒状物に関するものである。さらに詳細には、有用物を変性、変質あるいは実質的に除去することなく、粒状物の表面に付着した異物を除去し、粗面形成などの表面加工を施した表面加工粒状物の製造装置、製造方法、および得られる表面加工粒状物、ならびにこれを含む加工品に関するものである。
【背景技術】
【０００２】
米、麦類、そば等の穀粒や、豆類、ゴマ等の植物の種子を起源とする粒状食品原料は、表層部に難破壊性、難透水性の皮膜層を有するので、皮膜層を除去して食用に供することがあり、米の場合分づき米や胚芽米などが食用に供されている。しかし精米により除去される胚芽を含む表層部には有用な成分が多く含まれているため、玄米など全粒の穀粒を食用に供することが提唱されている。ところが処理をしない玄米などは、皮膜層が難透水性のため長い浸漬時間と加熱時間を要し、調理が困難である上、難破壊性の皮膜層は噛み切れない状態で残り、食感が劣る。
【０００３】
粒状物と液相、気相などの分散媒との反応性や浸潤性などは、粒状物の表面の状態により影響を受ける。粒状物に化学修飾を加えずに分散媒との反応性や浸潤性などを変化させる方法としては、粒状物表面に傷をつけて粗面を形成し、表面積や親和性の改変を行う表面処理が食品、工業原料、医薬品など多くの分野で行われている。しかし従来の表面処理では、表層部の有用物を変性、変質あるいは除去するように実施されている。
【０００４】
穀粒についていえば、表層部に難破壊性、難透水性の皮膜層が形成されているので、精米、精麦などによって表面の不要物除去、浸潤性向上などを行うために、粒状物圧送による摩擦や衝突、砥粒や刃物による研削などの表面処理が行われている。しかし、このような手法では原料粒状物の粉砕頻度が高まるとともに、摩擦熱や蓄熱により化学反応が進み、製品の品質が低下する。
【０００５】
例えば特許文献１（特開平６−９９０８８）には一般的な精米方法として、精米工程において原料玄米をパンチング材等により形成される外筒と回転体の間隙を圧送し、原料玄米と外筒部の間に生じる擦離力や穀粒相互の接触摩擦により精米するものが示されている。しかしこのような方法では、糊粉層内面に達する傷を形成するため、表層部を含む有用成分が剥離し、胚芽組織や糊粉層などが除去される。
【０００６】
家庭で利用される圧力式やインペラー式の精米器は、搗精率約１０％の白米の製造が主目的であって、原料玄米の約１０％の表層部を含む有用成分が剥離し除去されるものであり、原料玄米の表層部、糊粉層、胚芽などの有用物を除去することなく調理時の親水性、反応性などを高めることは困難である。また剥離したぬかの再付着を防止するためには別工程が必要である。
【０００７】
また特許文献２（特開平１０−１５４０８）には、研米装置として、一部に砥石を装着した外筒内部で、内周部に充填された米粒を、一部にブラシを装着した回転体を中心部で回転させて上部に圧送しながら、表面を研磨とブラッシングで研米する装置が示されている。しかしこの方法は、米粒同士がすれることにより精米を行い、剥離したぬかをブラッシングで除去する研米装置であり、有用物を変性、変質あるいは実質的に除去することなく研米することは示されていない。
【０００８】
特許文献３（特開２００７−２０９９３７）には、砥粒を含む可撓性高分子材で原料粒状物の表面を微研削する技術が示されている。この方法は穀粒の表層部分を可撓性高分子材との接触研削により薄く除去する方法であり、粒状物を空気流により浮遊させた状態で分散移動させながら表面加工する方法は示されていない。
【０００９】
このように従来の穀粒などの粒状物の表面処理方法は、いずれも表層部を除去するもので、実質的に米における精米と同等のものであり、表層部に含まれる有用物が変性、変質あるいは除去されることになり、穀粒等の全粒を利用できないという問題点がある。
【先行技術文献】
【特許文献】
【００１０】
【特許文献１】特開平６−９９０８８
【特許文献２】特開平１０−１５４０８
【特許文献３】特開２００７−２０９９３７
【発明の概要】
【発明が解決しようとする課題】
【００１１】
本発明の目的は上記従来の問題点を解決するため、原料粒状物の表面に付着した異物を除去するとともに、有用物を変性、変質あるいは実質的に除去することなく、表層部に表面加工を施して粗面化し、原料粒状物とは異なる表面特性を有する表面加工粒状物を製造する装置を提供することである。
本発明の他の目的は、原料粒状物の表面に付着した異物を除去するとともに、有用物を変性、変質あるいは実質的に除去することなく、表層部に表面加工を施して粗面化し、原料粒状物とは異なる表面特性を有する表面加工粒状物を製造する製造方法を提案することである。
本発明の別の目的は、上記製造方法により得られる、原料粒状物とは異なる表面特性を有する表面加工粒状物、およびこの表面加工粒状物を含む加工品を提案することである。
【課題を解決するための手段】
【００１２】
本発明は次の表面加工粒状物の製造装置、製造方法、ならびにこれらから得られる表面加工粒状物、およびこれを含む加工品である。
（１）内周面に沿って回転移動する粒状物を一時的に保持可能な保持部および透孔を有する円筒状の保持筒と、
保持筒内の軸方向に設けられた回転軸に取り付けられて回転し、周辺部から突出する加工片との接触により異物の除去とともに、粒状物に表面加工を施して表層部を粗面化する回転加工体と、
保持筒の始端部へ原料粒状物を供給する原料供給部と、
保持筒の終端部から製品粒状物を取出す製品取出部と、
保持筒の上部から透孔を通して吸引し、粒状物を浮遊させるとともに、微細な異物および加工滓を保持筒外へ排出する加工滓除去部とを備えている
ことを特徴とする表面加工粒状物の製造装置。
（２）回転加工体は、複数組の加工ユニットが回転軸に積層状に取り付けられたものであり、
加工ユニットは、
回転軸に取り付けられる板状体の周辺部から放射状に突出する加工片が、保持筒との間の流路で流動する粒状物と接触して粗面を形成する１または複数の粗面形成材、および
回転軸に取り付けられる基部の周辺部に形成された溜め部に存在する粒状物を、保持筒の内周面に向け放出分散させるように、基部から放射状に伸びる放出片を有する放出分散材を含む
ことを特徴とする上記（１）記載の表面加工粒状物の製造装置。
（３）表面加工により生じた破砕物を、保持筒の下部から透孔を通して、保持筒外へ排出する破砕物除去部を備えている上記（１）または（２）記載の装置。
（４）回転加工体は、保持筒内周部に沿った粒状物の流れを制御するせき部材を加工ユニット内または外に有する上記（１）ないし（３）のいずれかに記載の装置。
（５）せき部材は、外周部に形成された山部と谷部の組合せにより粒状物の流れを制御するものである上記（４）記載の装置。
（６）回転加工体の加工ユニットには、周辺部の高さが異なる複数の粗面形成材が積層され、回転加工体の周辺部に段差が形成されている上記（１）ないし（５）のいずれかに記載の装置。
（７）回転加工体を構成する部材は、回転方向および／または軸方向に揺動または摺動できるように回転軸に緩やかに取り付けられている上記（１）ないし（６）のいずれかに記載の装置。
（８）保持筒は単一または複数の多孔板から円筒状に構成され、筒径を変化させる筒径調節材を有する上記（１）ないし（７）のいずれかに記載の装置。
（９）保持筒を構成する複数の多孔板は、同一または異なる保持部および／または透孔を有する上記（８）記載の装置。
（１０）原料供給部は、保持筒に連なる搬送筒内に設けられた搬送スクリューを含む上記（１）ないし（９）のいずれかに記載の装置。
（１１）製品取出部は、保持筒から取出される製品粒状物を選別する選別部を備える上記（１）ないし（１０）のいずれかに記載の装置。
（１２）内周面に沿って回転移動する粒状物を一時的に保持可能な保持部および透孔を有する円筒状の保持筒へ原料粒状物を供給し、
保持筒の上部から透孔を通して吸引して粒状物を浮遊させた状態で、
保持筒内の軸方向に設けられた回転軸に取り付けられた回転加工体を回転させ、
回転加工体の周辺部から突出する加工片との接触により異物の除去とともに、粒状物に表面加工を施して表層部を粗面化する
ことを特徴とする表面加工粒状物の製造方法。
（１３）原料粒状物が表層部に難破壊性および／または難透水性の皮膜層を有する粒状物であり、表面加工は難破壊性および／または難透水性の皮膜層に不規則で微細な傷を形成して粗面化する加工である上記（１２）記載の製造方法。
（１４）上記（１）ないし（１１）のいずれかに記載の装置を用いる上記（１２）または（１３）記載の製造方法。
（１５）上記（１２）ないし（１４）のいずれかに記載の製造方法によって得られる表面加工粒状物。
（１６）上記（１５）記載の表面加工粒状物を２次加工して得られる加工品。
【００１３】
本発明において、表面加工の対象となる原料粒状物は、有機、無機等の物質から構成される粒状物であって、表面加工ができるものであれば制限はなく、穀粒などの粒状食品原料ならびに生物、有機物、化学物質その他の粒状物が挙げられる。これらの中では米、麦類、そば等の穀粒や、豆類、ゴマ等の植物の種子を起源とする粒状食品が適している。特に玄米、原麦、そば等の穀粒や、トウモロコシ、豆類、ゴマなどのように、表層部に難破壊性および／または難透水性の皮膜層を有する粒状物が表面加工の対象として適しているが、米の籾や玄そばなど、難剥離性の外皮（米の場合は籾殻、麦の場合は麦殻、そばの場合はそば殻など）で覆われた状態の粒状物も表面加工の対象とすることができる。
【００１４】
米、麦類、そば等の穀粒や、豆類、ゴマ等の植物の種子を起源とする粒状食品は、表層部に難破壊性、難透水性の皮膜層を有するので、処理をしない玄米などは、表層部が難透水性のため長い浸漬時間と加熱時間を要し、調理が困難である上、難破壊性の皮膜層は噛み切れない状態で残り、食感が劣る。また麦類、そば、玄米などを製粉して使用する場合は、表層部に処理を施していない原麦、そば丸抜き、玄米などを製粉すると、難破壊性の皮膜層は微粉砕されない粗大画分として残存し、加工特性、食感などが劣る場合がある。
【００１５】
本発明における表面加工は、原料粒状物の有用物を変性、変質あるいは実質的に除去することなく、粒状物の表面に付着した異物を除去するとともに、粒状物の表面に原料粒状物とは異なる表面特性を付与する加工である。さらに詳細には、保持筒内で粒状物を浮遊させた状態で、回転加工体を回転させて表面加工することにより、粒状物の表面に不規則で微細な多数の傷を形成して粗面化し、表層部の破壊性、透水性、浸潤性などの原料粒状物とは異なる表面特性を付与する加工である。
【００１６】
本発明で製造する表面加工粒状物は、このような粒状物の表面加工により、原料粒状物の表面に付着した粒状物表面の不可食部、土壌、細菌などの異物を除去するとともに、原料粒状物とは異なる表面特性を付与し、これにより製粉性、調理性、衛生性、栄養性、食感などの特性を改善した粒状物である。
【００１７】
本発明の表面加工粒状物の製造方法では、内周面に沿って回転移動する粒状物を一時的に保持可能な保持部および透孔を有する円筒状の保持筒へ原料粒状物を供給する。このとき保持筒の上部から透孔を通して吸引して粒状物を浮遊させた状態で、保持筒内の軸方向に設けられた回転軸に取り付けられた回転加工体を回転させることにより、回転加工体の周辺部から突出する加工片との接触により異物の除去とともに、粒状物に表面加工を施して表層部を粗面化し、表面加工粒状物を製造する。これにより原料粒状物の有用物を変性、変質あるいは実質的に除去することなく、粒状物の表面に付着した異物を除去するとともに、粒状物の表面に原料粒状物とは異なる表面特性を付与した表面加工粒状物を製造することができる。
【００１８】
ここで重要なことは、粒状物を浮遊させた状態で回転加工体を回転させて粒状物を流動化し、表面加工する点である。従来の精米、研米等の処理方法において、原料玄米等の粒状物を堆積させた状態で回転体等により圧送して表面処理する方法では、粒状物同士または粒状物と回転体等との摩擦、衝撃、抵抗などが大きいため、表層部の剥離や組織の欠損が起きるのに対し、粒状物を浮遊させた状態で回転加工体を回転させて粒状物を流動化すると、粒状物同士または粒状物と回転体等との摩擦、衝撃、接触抵抗、発熱などが小さい状態で粒状物と回転体等が接触するため、表層部に不規則で浅く微細な多数の傷を形成して粗面化し、表層部の破壊性、透水性、浸潤性などの原料粒状物とは異なる表面特性を付与することができる。
【００１９】
原料粒状物が、玄米、原麦、そばなどの穀粒や、豆類、ゴマ等の植物の種子を起源とする粒状食品原料のように、表層部に難破壊性および／または難透水性の皮膜層を有する粒状物である場合は、表面加工により難破壊性および／または難透水性の皮膜層に不規則で微細な多数の傷を形成して粗面化し、表層部の破壊性、透水性、浸潤性などの原料粒状物とは異なる表面特性を付与した表面加工粒状物を製造することができる。米の籾や、難剥離性の外皮（米の場合は籾殻、麦の場合は麦殻、そばの場合はそば殻など）で覆われた状態の玄そばに表面加工を施すこともでき、この場合１次加工として表層部に施された表面加工により不可食部である果皮などの表層部に粗面を形成し、２次加工の脱皮工程で受ける衝撃などにより果皮などが剥離・除去しやすい物理的特性を賦与することができる。
【００２０】
このような本発明の表面加工粒状物の製造方法に用いるための表面加工粒状物の製造装置は、内周面に沿って回転移動する粒状物を一時的に保持可能な保持部および透孔を有する円筒状の保持筒と、保持筒内の軸方向に設けられた回転軸に取り付けられて回転し、周辺部から突出する加工片との接触により異物の除去とともに、粒状物に表面加工を施して表層部を粗面化する回転加工体と、保持筒の始端部へ原料粒状物を供給する原料供給部と、保持筒の終端部から製品粒状物を取出す製品取出部と、保持筒の上部から透孔を通して吸引し、粒状物を浮遊させるとともに、微細な異物および加工滓を保持筒外へ排出する加工滓除去部とを備えている装置である。さらに表面加工により生じた破砕物を、保持筒の下部から透孔を通して、保持筒外へ排出する破砕物除去部を備えている装置が好ましい。このような装置により、表面加工粒状物の製造が行われる。
【００２１】
保持筒に設けられる保持部は、内周面に沿って回転移動する粒状物を一時的に保持できるように構成され、これにより粒状物の回転移動に対する抵抗が生じて、粒状物の表面加工を促進する。透孔は主として通気のために設けられるが、保持部を兼ねることができる。この場合透孔は粒状物よりも小さい開口部を有し、粒状物の一部がはまり込む構造とすることにより、開口端部が粒状物の保持部として機能する。透孔の開口端部の下流側で回転を受け止める側の一部が内周側に突出した突出部を形成すると保持性を高めることができ、これにより打撃力あるいは衝撃力を受け止めて、加工性を高めることができる。透孔の形状、大きさは原料粒状物が通過しないものであればよいが、粒状物の形状、大きさに応じて任意に選択できる。例えば玄米の場合、長円状、楕円状のものなどが採用されるが、単純な円形のものでもよい。透孔とは別に内周側に突出部を形成して保持部とすることもできる。保持部および透孔の形状、大きさなどは保持筒の部位における機能、作用等に合うように変化させることができる。例えば大部分の場所では回転移動に対する抵抗を大きくするように保持性の高い状態にするが、加工滓除去部では加工滓や気流が通りやすいように開口部を大きくし、また破砕物除去部では破砕物を通す開口部を多くすることができる。保持部は保持筒の内周面に沿って回転移動する粒状物を一時的に保持可能なものであり、粒状物が保持され、あるいは脱離する際など、粒状物の回転移動に対する抵抗となるときに、粒状物は表面加工を施される。
【００２２】
保持筒は単一または複数の多孔板から円筒状に構成されるが、筒径を変化させる筒径調節材を設けることができ、筒径調節材は外部から操作して筒径を変化させるものが好ましい。筒径調節材を操作して筒径を変化させることにより、保持筒の内側に形成される粒状物の流路の大きさを調整することができ、これにより粒状物の表面加工率を調節することができる。保持筒を複数の多孔板で構成する場合は、接合面を重ねて接合する部分を可動化することにより、保持筒の大きさを調整することが容易になる。この場合外部からの操作で圧縮荷重を付加して筒径を変化させるものが好ましい。複数の多孔板は、同一または異なる保持部および／または透孔を形成することができる。保持筒は縦方向、横方向など、任意の方向に配置でき、縦方向の場合の粒状物の移動方向は、上方向でも下方向でもよい。好ましくは、保持筒は基本的に横方向に配置するが、若干下方向に傾斜するように設けると、粒状物の移動に重力を利用できるので好ましい。
【００２３】
保持筒内に設けられる回転加工体は、保持筒内の軸方向に設けられた回転軸に取り付けられている。回転加工体はその周辺部から加工片が突出しており、回転加工体の回転により周辺部から突出する加工片と粒状物の接触により、粒状物に付着した異物が除去されるとともに、粒状物に表面加工を施すように設けられる。回転加工体は複数組の加工ユニットが回転軸に積層状に取り付けられたものが好ましく、この場合加工ユニットは１または複数の粗面形成材および放出分散材が積層されたものが好ましい。
【００２４】
粗面形成材としては、回転軸に取り付けられる板状体、好ましくは円板状体の周辺部から放射状に突出する加工片が回転により、保持筒の内周面に沿って回転移動する粒状物と接触して粗面を形成するものが用いられる。
加工片としては、板状体の厚みに相当する幅を有する平板状、湾曲片状、鋸歯状、爪状など任意の形状の突出片が、放射方向に、あるいは回転前方または後方に向けて伸びるものなど、加工の条件に合わせて選ぶことができる。好ましくは回転後方に向けて伸びるもの、また回転前方の面が凸になるように回転後方に向けて湾曲して伸びるものなどは、粒状物への衝撃を軽減、分散して均一化できるので好ましい。このように粒状物への衝撃を軽減、分散して均一化できる加工片を有する回転加工体を、保持筒内で浮遊して流動する粒状物と接触するように回転させると、回転加工体の回転に対する抵抗は小さく、粒状物の破砕や表層部の剥離が防止され、表層部に微細な傷が不規則に形成されて粗面化する。加工片の粒状物と接触する部分の両側に形成されるエッジ部分にシャープエッジが形成されているのが好ましく、これにより表層部に形成される傷が微細になる。回転加工体の回転により保持筒の保持部でも表面加工が行われるが、保持部についても加工片と同様に、衝撃を分散して微細な加工を行えるように配置するのが好ましい。回転加工体の加工ユニットに複数の粗面形成材が設けられる場合は、周辺部の高さが異なる複数の粗面形成材が積層され、回転加工体の周辺部に段差が形成されているものが好ましく、これにより麦など溝等の異形部分の表面加工が容易になる。加工片のエッジがシャープな場合も同様である。粗面形成材の厚さは粒状物の短径の０．１〜２．５倍程度、好ましくは０．１〜２倍程度、加工片の間隔は粒状物の短径の０．１〜１．５倍程度、好ましくは０．１〜１倍程度とすることができる。
【００２５】
放出分散材は加工ユニットの下流側に設けられ、回転軸に取り付けられる基部の周辺部に形成された溜め部に溜った粒状物を、保持筒の内周面に向け放出分散させるように、基部から放射状に伸びる放出片を有する。溜め部は上流側の粗面形成材と保持筒間の流路から１個以上の粒状物が流入して一時的に溜められる形状、大きさに形成される。放出片は放出分散材の回転により、溜め部内の粒状物を保持筒の内周面方向に押し出す攪拌翼形に形成される。放出片は粗面形成材の加工片よりは大形であり、加工片と同様に板状、湾曲片状、鋸歯状、爪状など任意の形状の突出片が、放射方向に、あるいは回転前方または後方に向けて伸びるものなど、放出分散の条件に合わせて選ぶことができるが、回転後方に向けて伸びるもの、また回転前方の面が凸になるように回転後方に向けて湾曲して伸びるものなどは、粒状物への衝撃を軽減して均一化できるので好ましい。
【００２６】
加工ユニットは、１または複数の粗面形成材と放出分散材が積層されて形成されるが、このような加工ユニットが複数個繰り返し積層されて回転加工体が構成される。これにより粗面形成材による粗面形成と、放出分散材による放出分散が繰り返されるようになっている。放出分散材は加工ユニットの下流側に１個含まれるが、粗面形成材は１個に限定されず、複数個が積層されていてもよい。複数個の粗面形成材は周辺部の高さが異なるものを挟んで段差状に積層すると、麦などの凹部を含む粒状物の加工に適しているが、同じものを積層してもよく、また低い粗面形成材の代わりに加工片のないスペーサを挟んでもよい。
【００２７】
回転加工体は加工ユニット内または外に、保持筒内周部に沿った粒状物の流れを制御するせき部材を有するのが好ましい。せき部材は、外周部に形成された山部と谷部の組合せにより粒状物の流れを制御するものが好ましい。せき部材は山部と谷部が外周部に均等に分散する花びら形のものが好ましいが、円形、楕円形など、任意の形状に形成することができる。せき部材は保持筒内を移動する粒状物の流量を均一化するために設けられるものであり、各加工ユニットに設ける必要はないが、保持筒内の長手方向に分散して積層され、最下流部にも積層されるのが好ましい。
【００２８】
回転加工体を構成する各部材は、回転方向および／または軸方向に揺動または摺動できるように回転軸に緩やかに取り付けられているのが好ましく、これにより回転加工体を構成する各部が粒状物に当たるときの衝撃を緩和して、粒状物の破壊、表層部の剥離を防止し、不規則で浅い微細な傷を形成して粗面化することができる。回転方向および／または軸方向に揺動または摺動できるようにするためには、各部材と回転軸間、ならびに各部材と係合部（例えばキー溝）間にわずかな隙間が存在し、衝撃を吸収するように、緩やかに取り付けられていることを意味する。回転加工体の端部は、ダブルナットとばね座金等で構成される固定具により、軸方向にわずかな隙間が存在するように固定することができる。
【００２９】
原料供給部は、保持筒に連なる搬送筒内に設けられた搬送スクリューにより、原料粒状物を保持筒の始端部に供給することができる。この場合、保持筒に連なるほぼ同じ形状、大きさの搬送筒内に、回転加工体に対応する形状、大きさの回転軸の外周面にスクリューが形成された搬送スクリューを用いると、保持筒内における表面加工に適した量の原料粒状物を移動区間に送り込むことができる。原料供給部にはロータリーバルブなどの流量調整装置、ならびに搬送スクリュー上部に原料粒状物の供給厚みを均一にする整粒プレートなどを設けると、原料粒状物の供給量の安定性が向上する。
【００３０】
加工滓除去部は保持筒の上部に、加工滓除去部に組み込まれる透孔群を覆うように、加工滓捕集部を設けて外部のバグフィルタ等の吸引部に連結し、この加工滓捕集部から透孔群を通して吸引することにより、保持筒内の粒状物を浮遊させるとともに、剥離した微細な異物および加工滓を保持筒外へ排出するように構成される。加工滓除去部は空冷により保持筒内の発熱、蓄熱を防止し、粒状物の変性、変質等を防止するようにも構成される。
【００３１】
破砕物除去部は保持筒の下部に、破砕物除去部に組み込まれる透孔群を覆うように破砕物受け部を設け、表面加工により生じた破砕物を、保持筒の下部から透孔群を通して破砕物受け部に集め、保持筒外へ排出するように構成される。
【００３２】
製品取出部は保持筒の終端部から製品粒状物を取出すように構成される。製品取出部には、保持筒から取出される表面加工済み粒状物を選別する選別部を設けることができる。選別部としては異物の除去、不良品の除去などがあげられる。装置の構成材料に磁性材料を用いる場合は、その破片を異物として磁選機により除去することができる。このほか可視光等の電磁波による選別、篩別、風選などが採用できる。
【００３３】
上記のような表面加工粒状物の製造装置による表面加工粒状物の製造方法は、加工滓除去部により保持筒の上部から透孔を通して吸引し、回転加工体を回転させながら、原料供給部から保持筒の始端部へ原料粒状物を供給し、粒状物を浮遊させた状態で表面加工を行う。原料供給部から供給される原料粒状物は、保持筒の内周面と回転加工体との間に形成される流路に入り、保持筒の内周面に沿って回転移動するが、原料粒状物の一部は保持筒に形成された保持部に一時的に保持され、反発力により分散する。この状態で回転加工体が回転することにより、加工ユニットの粗面形成材の周辺部から放射状に突出する加工片が、保持筒との間の流路で流動する粒状物と接触して、異物の除去とともに、粒状物に表面加工を施し粗面を形成する。原料として供給される原料粒状物は、風乾物および／または水分を調質した原料を用いることができる。通常は乾式で加工が行われるが、ミストを噴霧して原料粒状物の水分含量を調整してもよい。
【００３４】
保持筒と粗面形成材間の流路を移動する粒状物は放出分散材の溜め部に入り、基部から放射状に伸びる放出片により保持筒の内周面に向け放出され分散する。保持筒と回転加工体間の流路を移動する粒状物は、粗面形成材に接触する領域では層流になりやすいが、放出分散材により放出分散される。各加工ユニットによりこれらの操作が繰り返され、これにより粒状物は均一化して流動状態が保たれる。
【００３５】
加工ユニット内または外に設けられたせき部材により保持筒内周部に沿った粒状物の流れが制御され、粒状物の滞留時間が長くなるとともに、流路を通る粒状物の流量が調節され、表面加工が均一化する。せき部材が外周部に形成された山部と谷部の組合せからなる場合は、山部で粒状物の流れが制御され、谷部から粒状物が移動する。せき部材が円形の場合は全周で、楕円形の場合は長径の部分で粒状物の流れが制御される。
【００３６】
回転加工体を構成する各部材が、回転方向および／または軸方向に揺動または摺動できるように回転軸に緩やかに取り付けられている場合は、回転加工体を構成する各部が粒状物に当たるときの衝撃がさらに緩和され、粒状物の破壊、表層部の剥離が防止されるので、表面加工時にさらに浅く微細な傷を形成して粗面化することができる。運転開始時には、ダイナミックバランスを維持するために動力装置の回転をインバータ制御で緩く上昇させる台形制御を行って異常振動の発生を防止することが望ましい。
【００３７】
保持筒に筒径調節材を設ける場合は、筒径調節材を外部から操作して筒径を変化させることができる。筒径調節材を操作して筒径を変化させると、保持筒の内側に形成される粒状物の流路の大きさを調整することができ、これにより粒状物の表面加工率を調節することができる。保持筒を複数の多孔板で構成する場合は、接合面を重ねて接合する部分を可変にすることにより、保持筒の大きさを調整することが容易になる。
【００３８】
加工滓除去部では、保持筒の上部から透孔を通して吸引することにより、粒状物を浮遊させるとともに、微細な異物および加工滓が加工滓捕集部に捕集され、保持筒外へ排出される。これにより加工滓の粒状物への再付着を防止するほか、発熱、蓄熱なども防止することができる。粒状物を浮遊させた状態で回転加工体を回転させることにより、粒状物同士または粒状物と回転加工体等との摩擦、衝撃、抵抗などは小さくなるため、表層部に不規則で浅く微細な多数の傷を形成して粗面化し、表層部の破壊性、透水性、浸潤性などの原料粒状物とは異なる表面特性を付与することができる。
【００３９】
破砕物除去部では、表面加工により生じた破砕物が、重質の異物、粒状物の欠損組織などとともに、保持筒の下部から透孔を通して破砕物受け部に取出され、保持筒外へ排出される。
【００４０】
製品取出部では、保持筒の終端部から製品粒状物を取出す。製品取出部に選別部を設ける場合は、選別部において保持筒から取出される表面加工済み粒状物を選別し、異物や不良品を除去することができる。
【００４１】
このようにして製造された本発明の表面加工粒状物は、原料粒状物のたんぱく質、脂質、ビタミン類、酵素などの有用成分が変性、変質、失活あるいは実質的に除去されることなく、粒状物の表面に付着した異物が除去されるとともに、粒状物の表面に原料粒状物とは異なる表面特性が付与された粒状物である。この場合、表面加工粒状物では保持された酵素活性により、γ-アミノ酪酸などの一部の有用成分が原料粒状物よりも増加するものがある。このような表面加工粒状物は、粒状物の表面に付着した土壌、細菌などの異物が除去されるとともに、粒状物の表面に不規則で微細な多数の傷が形成されて粗面化し、表層部の破壊性、透水性、浸潤性などの原料粒状物とは異なる表面特性が付与され、これにより製粉性、調理性、衛生性、栄養性、食感などの特性が改善されている。
【００４２】
穀粒などの種子を起源とする粒状食品原料から得られる表面加工粒状物は、難破壊性、難透水性の皮膜層に不規則で微細な多数の傷が形成されて粗面化するので、皮膜層には破壊性、透水性、浸潤性など、原料粒状物とは異なる表面特性が付与され、これにより製粉性、調理性、衛生性、栄養性、食感などの特性が改善された粒状物となっている。表面加工玄米の場合、原料玄米の皮膜層、糊粉層、胚芽などの有用物は除去されず、外観も原料玄米に似ているが、吸水性は高く、短時間の浸漬により調理可能である。また皮膜層の多数の微細傷が炊飯による胚乳部の膨圧増加により拡大して広範な亀裂を生じることにより、粗大な皮膜層画分が少なくなるため、摂食時に粗大な皮膜層画分が歯に当たることが軽減され、食感も白米の炊飯物に近い。麦類、そばなどのように、調理に先立って製粉する場合、製粉時の破砕は皮膜層に形成された微細な傷の部分から始まるため、難破壊性の皮膜層は微細な粉砕物となり、他の部分の粉砕物中に分散する。
【００４３】
本発明は、うるち米、もち米などの各種玄米の外、パン小麦、麺用小麦、もち性裸麦、大麦などの麦類、そばなどの製粉前処理技術として広範な適用が可能である。表面加工技術を米麦類、他の穀類などで利用すると、食物繊維やビタミン類、各種Steryl ferulates（γ−オリザノール）類などに富む、調理性、衛生性、栄養性、食感に優れた全粒粉素材を製造でき、栄養価が高く高品質な２次加工品を製造できる。
【００４４】
本発明の表面加工粒状物の加工品は、このようにして製造された表面加工粒状物が製粉、調理などの２次加工により得られる加工品である。このような加工品は、表面加工粒状物に付与された原料粒状物にない特性が、２次加工によって新たな特性として具現したものである。２次加工が製粉の場合、表層部が微細に粉砕されて胚乳部に分散する粉製品が得られ、また２次加工が調理である場合、分散性、吸水性、調理性などの改善により、外観形質、風味、食感等に優れた加工品が得られる。
【００４５】
玄米は、水分の浸潤などにより胚芽や糊粉層の酵素活性が高まり、さまざまな代謝産物が産生される。市販の発芽玄米では、玄米の浸漬でγ−アミノ酪酸が富化されるが、細菌増殖を防止するために高温処理して製品化する場合は酵素活性が失われる。本発明の表面加工玄米は未処理の玄米と同様に胚芽や糊粉層を保持しており、高温処理も行われないため、２次加工の浸漬などでγ-アミノ酪酸などの代謝産物を富化できる酵素活性を有している。
【発明の効果】
【００４６】
本発明の表面加工粒状物の製造方法によれば、保持筒内で粒状物を浮遊させた状態で、回転加工体を回転させて表面加工するので、原料粒状物の有用物を変性、変質あるいは実質的に除去することなく、粒状物の表面に付着した異物を除去するとともに、粒状物の表面に不規則で微細な多数の傷を形成して粗面化し、表層部に破壊性、透水性、浸潤性などの原料粒状物とは異なる表面特性が付与された表面加工粒状物を製造することができる。
【００４７】
本発明の表面加工粒状物の製造装置によれば、保持部および透孔を有する保持筒と、加工片との接触により異物の除去とともに、粒状物に表面加工を施す回転加工体と、粒状物を浮遊させるとともに、微細な異物および加工滓を保持筒外へ排出する加工滓除去部とを備えているので、簡単な装置と操作により過剰な圧力や温度をかけずに、原料粒状物の有用物を変性、変質あるいは実質的に除去することなく、粒状物の表面に付着した異物を除去するとともに、粒状物の表面に不規則で微細な多数の傷を形成して粗面化し、表層部に破壊性、透水性、浸潤性などの原料粒状物とは異なる表面特性が付与された表面加工粒状物を製造することができる。
【００４８】
本発明の表面加工粒状物は、上記製造方法により製造されたものであるので、原料粒状物の有用物が変性、変質あるいは実質的に除去されることなく、粒状物の表面に付着した異物が除去されるとともに、粒状物の表面に原料粒状物とは異なる表面特性が付与された粒状物が得られる。
【００４９】
本発明の加工品は上記表面加工粒状物を２次加工して得られるので、表面加工粒状物に付与された原料粒状物にない特性が、２次加工によって新たな特性として具現した加工品が得られる。加熱されていない表面加工粒状物では、２次加工の浸漬などで酵素類によりγ-アミノ酪酸などの生理活性物質が富化され、調理品に新たな付加価値を賦与できる。
【図面の簡単な説明】
【００５０】
【図１】実施例形態の表面加工粒状物の製造装置の一部を縦断面で示す正面図である。
【図２】図１の一部の拡大図である。
【図３】図１および図２のＡ−Ａ断面図である。
【図４】図１および図２のＢ−Ｂ断面図である。
【図５】図１および図２のＣ−Ｃ断面図である。
【図６】図１および図２のＤ−Ｄ断面図である。
【図７】図１のＥ−Ｅ断面図である。
【図８】図１のＦ−Ｆ断面図である。
【図９】図１のＧ−Ｇ断面図である。
【図１０】Ａ、Ｂはそれぞれ実施例１における表面加工玄米および原料玄米の比較写真、ＡＬ、ＢＬはそれぞれそれらの拡大写真である。
【図１１】実施例１における表面加工玄米、原料玄米および白米の吸水率の経時変化を示すグラフである。
【図１２】Ａ、Ｂはそれぞれ実施例２における表面加工原麦および未処理の原麦を製粉した全粒粉の粒度分布を示すグラフである。
【発明を実施するための形態】
【００５１】
以下、本発明の実施形態を図面により説明する。
図１ないし図９は実施形態の表面加工粒状物の製造装置を示している。
【００５２】
図１ないし図９において、実施形態の表面加工粒状物の製造装置１は、内周面に沿って粒状物２の流路３ｅを形成する円筒状の保持筒３と、保持筒３内の軸方向に設けられた回転軸６に取り付けられて回転する回転加工体４と、保持筒３の始端部へ原料粒状物２ａを供給する原料供給部１７と、保持筒３の終端部から製品粒状物２ｂを取出す製品取出部１５と、保持筒３の上部から微細な異物および加工滓を保持筒３外へ排出する加工滓除去部８とを備え、さらに保持筒３の下部から表面加工により生じた破砕物を排出する破砕物除去部９を備えている。保持筒３は、その内周面に沿って回転移動する粒状物２を保持部３ａにより一時的に保持可能な透孔３ｂを有する。回転加工体４は、周辺部から突出する加工片４ａａ、４ｂａ、４ｃａとの接触により異物の除去とともに、粒状物２に表面加工を施して表層部を粗面化するように構成されている。加工滓除去部８は、保持筒３の上部から透孔３ｂを通して吸引し、粒状物２を浮遊させるとともに、微細な異物および加工滓８ｃを保持筒３外へ排出するように構成されている。
【００５３】
保持筒３に設けられる保持部３ａは、保持筒３の内周面に沿って回転移動する粒状物２を一時的に保持できるように構成されており、これにより粒状物２の回転移動に対する抵抗が生じて、粒状物２の回転移動および表面加工を促進する。透孔３ｂは主として通気のために設けられるが、その一部（例えば開口端部）が保持部３ａを兼ねることができる。この場合透孔３ｂは粒状物２よりも小さい開口部を有し、粒状物２の一部がはまり込む構造とすることにより、開口端部が粒状物の保持部３ａとして機能する。透孔３ｂの開口端部の下流側で回転を受け止める側の一部が内周側に突出した突出部を保持部３ａとして形成すると保持性を高めることができ、これにより打撃力あるいは衝撃力を受け止めて、加工性を高めることができる。透孔３ｂの形状、大きさは粒状物２が通過しないものであればよいが、粒状物の形状、大きさに応じて任意に選択できる。例えば玄米の場合、長円状、楕円状のものなどが採用されるが、単純な円形のものでもよい。透孔３ｂとは別に内周側に突出部を形成して保持部３ａとすることもできる。保持部３ａおよび透孔３ｂの形状、大きさなどは保持筒３の部位における機能、作用等に合うように変化させることができる。例えば大部分の場所では回転移動に対する抵抗を大きくするように保持性の高い状態にするが、加工滓除去部８では加工滓８ｃや気流が通りやすいように開口部を大きくし、また破砕物除去部９では破砕物を通す開口部を多くすることができる。保持部３ａは保持筒３の内周面に沿って回転移動する粒状物２を一時的に保持可能なものであり、粒状物２が保持され、あるいは脱離する際など、粒状物２の回転移動に対する抵抗となるときに、粒状物は表面加工を施される。
【００５４】
保持筒３は複数の多孔板３ｃ、３ｄから円筒状に構成され、筒径を変化させる筒径調節材７、７ａが設けられている。筒径調節材７、７ａは結束バンドからなり、結束部７ｄを外部から操作して筒径を変化させるようになっている。筒径調節材７、７ａを操作して筒径を変化させることにより、保持筒３の内周面と回転加工体４との間に形成される粒状物２の流路３ｅの大きさを調整することができ、これにより粒状物２の表面加工率を調節することができる。保持筒３を構成する複数の多孔板３ｃ、３ｄは、接合面を重ねて接合する部分が可動化されており、外部からの操作で圧縮荷重を付加して筒径を変化させることにより保持筒３の大きさの調整が容易に行われる。複数の多孔板３ｃ、３ｄは、同一または異なる保持部３ａおよび／または透孔３ｂを形成することができる。保持筒３は基本的に横方向に配置されているが、若干下方向に傾斜するように設けられ、粒状物２の移動に重力を利用できるようにされている。
【００５５】
保持筒３内に設けられる回転加工体４は、保持筒３内の軸方向に設けられた回転軸６に取り付けられて回転可能となっている。回転加工体４はその周辺部から加工片が突出しており、回転加工体４の回転により周辺部から突出する加工片と粒状物２の接触により、粒状物２に付着した異物が除去されるとともに、粒状物２に表面加工を施すようにされている。回転加工体４は複数組の加工ユニット４ｕが回転軸６に積層状に取り付けられており、図中の加工ユニット４ｕは複数の粗面形成材４ａ、４ｂ、４ｃおよび１個の放出分散材４ｄが積層されたものである。
【００５６】
粗面形成材４ａ、４ｂ、４ｃとしては、回転軸６に取り付けられる円形の板状体４ａｂ、４ｂｂ、４ｃｂの周辺部から放射状に突出する加工片４ａａ、４ｂａ、４ｃａが回転により、保持筒３との間の流路３ｅで流動し保持筒３の内周面に沿って回転移動する粒状物２と接触して粗面を形成するものが用いられている。加工片４ａａ、４ｂａ、４ｃａとしては、板状体４ａｂ、４ｂｂ、４ｃｂの厚みに相当する幅を有する平板状、湾曲片状、鋸歯状、爪状など任意の形状の突出片が、放射方向に、あるいは回転前方または後方に向けて伸びるものなど、加工の条件に合わせて選ぶことができるが、実施形態では回転前方の面が凸になるように回転後方に向けて湾曲して伸びるものが採用されていて、粒状物２への衝撃を軽減、分散して均一化できるようにされている。このように粒状物２への衝撃を軽減、分散して均一化できる加工片４ａａ、４ｂａ、４ｃａを有する回転加工体４を、保持筒３内で浮遊して流動する粒状物２と接触するように回転させることにより、回転加工体４の回転に対する抵抗は小さく、粒状物２の破砕や表層部の剥離が防止され、表層部に微細な傷が不規則に形成されて粗面化するようにされている。加工片４ａａ、４ｂａ、４ｃａの粒状物２と接触する部分の両側に形成されるエッジ部分にはシャープエッジが形成され、表層部に形成される傷が微細になるようにされている。回転加工体４の回転により保持筒３の保持部３ａでも表面加工が行われるが、保持部３ａについても加工片４ａａ、４ｂａ、４ｃａと同様に、衝撃を分散して微細な加工を行えるように配置するのが好ましい。回転加工体４の加工ユニット４ｕの複数の粗面形成材４ａ、４ｂ、４ｃのうち中間の粗面形成材４ｂは周辺部の高さの低いものが積層され、回転加工体４の周辺部に段差が形成されている。これにより麦など溝等の異形部分の表面加工が容易になるようにされている。
【００５７】
放出分散材４ｄは加工ユニット４ｕの下流側に設けられ、回転軸６に取り付けられる基部４ｄｃから放出片４ｄａが放射状に伸び、これに隣接して基部４ｄｃの周辺部に形成された溜め部４ｄｂに溜った粒状物２を、保持筒３の内周面に向け放出分散させるように形成されている。溜め部４ｄｂは上流側の粗面形成材４ｃと保持筒３間の流路３ｅから１個以上の粒状物２が流入して一時的に溜められる形状、大きさに形成されている。放出片４ｄａは放出分散材４ｄの回転により、溜め部４ｄｂ内の粒状物２を保持筒３の内周面方向に押し出す攪拌翼形に形成される。放出片４ｄａは粗面形成材４ａ、４ｂ、４ｃの加工片４ａａ、４ｂａ、４ｃａよりは突出長さ、幅ともに大形であり、回転前方の面が凸になるように回転後方に向けて湾曲して伸びるものであり、粒状物２への衝撃を軽減して均一化できるようにされている。
【００５８】
図面の加工ユニット４ｕは、１または複数の粗面形成材４ａ、４ｂ、４ｃと１個の放出分散材４ｄが積層されて形成され、このような加工ユニット４ｕが複数個繰り返し積層されて回転加工体４が構成されている。これにより粗面形成材４ａ、４ｂ、４ｃによる粗面形成と、放出分散材４ｄによる放出分散が繰り返されるようになっている。
【００５９】
回転加工体４には、加工ユニット４ｕ内または外に、保持筒３の内周部に沿った粒状物２の流れを制御するせき部材５が積層されている。せき部材５は粗面形成材４ａ、４ｃより大径の円形板状体であり、外周部に形成された山部５ａと谷部５ｂの組合せにより粒状物２の流れを制御するように、山部５ａと谷部５ｂが外周部に均等に分散する花びら形に形成されている。せき部材５は保持筒３内を移動する粒状物２の流量を制御して均一化するために設けられており、各加工ユニット４ｕに設ける必要はないが、保持筒３内の長手方向に分散して積層され、最下流部にも積層されている。
【００６０】
回転加工体４を構成する各部材は、回転方向Ｒ１、軸方向Ｒ２、揺動方向Ｒ３および／またはその他の方向に揺動または摺動できるように、回転軸６に緩やかに取り付けられている。これにより回転加工体４を構成する各部が粒状物２に当たるときの衝撃を緩和して、粒状物２の破壊、表層部の剥離を防止し、不規則で浅い微細な傷を形成して粗面化することができるようにされている。回転方向Ｒ１、揺動方向Ｒ３および／またはその他の方向に揺動または摺動できるようにするためには、各部材と回転軸６間、ならびに各部材と係合部１１（キー１１ａと溝１１ｂ）間にわずかな隙間１２が存在し、衝撃を吸収するように、緩やかに取り付けられている。また軸方向Ｒ２に揺動または摺動できるようにするためには、回転加工体４の終端部は、ダブルナットとばね座金等で構成される末端固定具２３により、軸方向にわずかな隙間が存在するように固定されている。
【００６１】
原料供給部１７は、保持筒３の始端側に連なる搬送筒１７ａ内に搬送スクリュー１８が設けられており、原料粒状物２ａを原料供給路１７ｄから流路３ｅの始端部に供給するようにされている。ここで搬送スクリュー１８は、保持筒３に連なるほぼ同じ形状、大きさの搬送筒１７ａ内に、回転加工体４に対応する形状、大きさの回転体の外周面にスクリューが形成された構造とされ、保持筒３内における表面加工に適した量の粒状物２を流路３ｅに送り込むようにされている。搬送スクリュー１８の上部には、原料粒状物２ａの供給厚みを均一にする整粒プレート１７ｂが、搬送筒１７ａに連絡する原料供給路１７ｄ内に設けられている。整粒プレート１７ｂは原料粒状物２ａの供給量を制限する開口部１７ｃを有している。原料供給部１７にはロータリーバルブなどの流量調整装置により原料粒状物２ａが供給され、その供給量の安定性が向上するようにされている。
【００６２】
搬送スクリュー１８の搬送筒１７ａの始端側は、支持体２０に取り付けられた保持部材１９により保持されている。搬送筒１７ａの終端側の外周部には、保持筒３の始端側が固定具１６により固定されている。保持筒３の終端側は、筒径調節材７、７ａによって始端側より小筒径に調整される場合は、その差に相当する厚みの軸心保持材７ｂ、７ｃを介在させて、支持体２０ａに取り付けられた保持部材１９ａにより保持されている。搬送スクリュー１８は、回転加工体４を取り付ける回転軸６に取り付けられており、回転軸６の始端側は、支持体２０に取り付けられた駆動装置２１にカップリング２２を介して連結している。回転軸６の終端側は、支持体２０ａに取り付けられたベアリング２４に回転可能に取り付けられている。
【００６３】
加工滓除去部８は保持筒３の上部に、加工滓除去部８に組み込まれる透孔３ｂ群を覆うように、加工滓捕集部８ａが設けられている。加工滓捕集部８ａの上部に連絡する加工滓排出路８ｂは、外部のバグフィルタ等の吸引部（図示せず）に連結している。この加工滓捕集部８ａから透孔３ｂ群を通して吸引することにより、保持筒３内の粒状物２を浮遊させて流動させるとともに、剥離した微細な異物および加工滓８ｃが保持筒３外へ排出されるように構成されている。加工滓除去部８は空冷により保持筒３内の発熱、蓄熱を防止し、粒状物２の変性、変質等を防止するようにも構成されている。
【００６４】
破砕物除去部９は、保持筒３の下部に、破砕物除去部９に組み込まれる透孔３ｂ群を下から覆うように破砕物受け部９ａが設けられている。破砕物受け部９ａの下部に破砕物排出路９ｂが外部に連絡しており、表面加工により生じた破砕物９ｃを、保持筒３の下部から透孔３ｂ群を通して破砕物受け部９ａに集め、保持筒３外へ排出するように構成される。
【００６５】
製品取出部１５は、保持筒３の終端部に連絡する加工物排出路１３から排出される表面加工済みの粒状物２を選別部１４で選別し、製品粒状物２ｂとして製品取出部１５から取出すように構成されている。選別部１４としては異物、不良品などを選別して除去できるものが用いられる。製造装置１の構成材料に鋼材等の磁性材料を用いる場合は、その破片を異物として磁選機により除去することができるようにされている。このほか可視光等の電磁波による選別、篩別、風選などが採用できる。
【００６６】
上記のような表面加工粒状物の製造装置１による表面加工粒状物の製造方法は、加工滓除去部８に連絡するバグフィルタのブロア等の吸引部材を駆動して、保持筒３の上部から透孔３ｂを通して矢印Ｒ８方向に吸引する状態で、駆動装置２１を駆動して搬送スクリュー１８を回転させて原料供給部１７から保持筒３の始端部へ原料粒状物２ａを供給し、同時に回転加工体４を矢印Ｒ１方向に回転させ、透孔３ｂから矢印Ｒ７方向に流入する空気流により粒状物２を浮遊させた状態で表面加工を行う。これにより原料供給部１７から供給される粒状物２は、保持筒３の内周面と回転加工体４との間に形成される流路３ｅに入り、保持筒３の内周面に沿って矢印Ｒ６方向に回転移動し、表面加工を受ける。
【００６７】
このとき粒状物２の一部は保持筒３に形成された保持部３ａに一時的に保持され、反発力により分散する。この状態で回転加工体４が矢印Ｒ１方向に回転することにより、加工ユニット４ｕの粗面形成材４ａ、４ｂ、４ｃの周辺部から放射状に突出する加工片４ａａ、４ｂａ、４ｃａが、保持筒３との間の流路３ｅで流動する粒状物２と接触して、異物を除去するとともに、粒状物２に表面加工を施し粗面を形成する。回転加工体４が回転するときの流路３ｅにおける粒状物２の動きは、図３の矢印Ｒ４、Ｒ５に示すように回転加工体４と保持筒３との間を行き来するが、全体として矢印Ｒ６に示すように保持筒３の内周円に沿ったらせん形状になると考えられる。図５の矢印Ｒ７は透孔３ｂからの空気の吸引方向を示すが、図３他では図示が省略されている。
【００６８】
上記の操作では粒状物２を浮遊させた状態で回転加工体４を回転させて粒状物２をさらに流動化し、表面加工が施されるため、表層部に不規則で浅く微細な多数の傷が形成される。すなわち粒状物２を浮遊させた状態で回転加工体４を回転させて粒状物２を流動化すると、粒状物２同士または粒状物２と回転加工体４等との摩擦、衝撃、接触抵抗、発熱などが小さい状態で粒状物２と回転加工体４等が接触するため、表層部に不規則で浅く微細な多数の傷を形成して粗面化し、表層部の破壊性、透水性、浸潤性などの原料粒状物とは異なる表面特性を付与することができる。
【００６９】
特に加工ユニット４ｕの粗面形成材４ａ、４ｂ、４ｃの周辺部から放射状に突出する加工片４ａａ、４ｂａ、４ｃａは、回転前方の面が凸になるように回転後方に向けて湾曲して伸びるものが採用されているので、粒状物２への衝撃を軽減、分散して均一化できる。このように粒状物２への衝撃を軽減、分散して均一化できる加工片４ａａ、４ｂａ、４ｃａを有する回転加工体４を、保持筒３内で浮遊して流動する粒状物２と接触するように回転させると、回転加工体４の回転に対する抵抗は小さく、粒状物２の破砕や表層部の剥離が防止され、表層部に不規則に形成される傷はさらに微細になる。
【００７０】
回転加工体４の加工ユニット４ｕの複数の粗面形成材４ａ、４ｂ、４ｃのうち中間の粗面形成材４ｂは周辺部の高さの低いものが積層され、回転加工体４の周辺部に段差が形成されているので、麦など溝等の異形部分を有する粒状物２の一部が上記段差に嵌まり込んだ場合、両側の高さの高い粗面形成材４ａ、４ｃの加工片４ａａ、４ｃａのエッジ部が粒状物２の溝等の異形部分に接触して異物の除去や表面加工が容易に行われる。溝等の異形部分がない玄米などの場合は、高さの低い粗面形成材４ｂは省略してもよく、加工片４ｂａがないスペーサに置き換えてもよい。
【００７１】
保持筒３と回転加工体４間の流路３ｅを移動する粒状物２は、図５に示すように放出分散材４ｄの溜め部４ｄｂに入り、基部４ｄｃから放射状に伸びる放出片４ｄａにより保持筒３の内周面に向けて矢印Ｒ１０方向に放出され分散する。保持筒３と回転加工体４間の流路３ｅを移動する粒状物２は、粗面形成材４ａ、４ｂ、４ｃに接触する領域では矢印Ｒ６に沿った層流になりやすいが、放出分散材４ｄにより矢印Ｒ１０方向に放出分散され、混合流になる。各加工ユニット４ｕでこれらの操作が繰り返され、これにより粒状物２は均一化して流動状態が保たれる。
【００７２】
加工ユニット４ｕ内または外に設けられたせき部材５により保持筒３内周部に沿った粒状物の流れが制御され、粒状物２の滞留時間が長くなるとともに、流路３ｅを通る粒状物２の流量が抑制され、表面加工が均一化する。せき部材５が外周部に形成された山部５ａと谷部５ｂの組合せからなる場合は、山部５ａで粒状物２の流れが制御され、谷部５ｂから粒状物２が移動する。せき部材５が円形の場合は全周で、楕円形の場合は長径の部分で粒状物の流れが制御される。
【００７３】
回転加工体４を構成する各部材が、回転方向Ｒ１、軸方向Ｒ２、揺動方向Ｒ３および／またはその他の方向に揺動または摺動できるように回転軸６に緩やかに取り付けられているため、回転加工体４を構成する各部が粒状物２に当たるときの衝撃がさらに緩和される。これにより粒状物２の破壊、表層部の剥離が防止されるので、表面加工時に浅く微細な傷を形成して粗面化することができる。
【００７４】
保持筒３は筒径調節材７、７ａの結束部７ｄを外部から操作して筒径を変化させると、保持筒３の内側に形成される粒状物２の流路３ｅの大きさを調整することができ、これにより粒状物２の表面加工率を調節することができる。保持筒３は複数の多孔板３ｃ、３ｄで構成されているので、接合面を重ねて接合する部分を可変にすることにより、保持筒３の大きさを調整することが容易になる。
【００７５】
加工滓除去部８では、保持筒３の上部から透孔３ｂを通して吸引することにより、粒状物２を浮遊させるとともに、微細な異物および加工滓８ｃが加工滓捕集部８ａに捕集されて保持筒３外へ排出され、バグフィルタ等により捕集される。これにより加工滓８ｃの粒状物２への再付着を防止するほか、発熱、蓄熱なども防止することができる。このときの空気の流れは、図５の矢印Ｒ７に示すように、透孔３ｂを通して保持筒３内に入るが、粗面形成材４ａ、４ｂ、４ｃの部分では図３の矢印Ｒ６に示すように流れ、放出分散材４ｄの部分では図５の矢印Ｒ６、Ｒ１０、Ｒ８に示すように流れる。
【００７６】
破砕物除去部９では、表面加工により生じた破砕物９ｃが、重質の異物、粒状物２の欠損組織などとともに、保持筒３の下部から透孔３ｂを通して破砕物受け部９ａに集められ、破砕物排出路９ｂから矢印Ｒ９の方向に保持筒３の外へ排出される。
【００７７】
製品取出部１５では保持筒３の終端部から取出される表面加工済みの粒状物２を選別部１４において選別し、異物や不良品を除去して、製品粒状物２ｂとして取出す。製造装置１の構成材料、特に保持筒３および回転加工体４の構成材料として鋼材等の磁性材料を用いる場合は、その破片が粒状物２に混入しても選別部１４において磁選により除去される。小石、プラスチック等の他の異物は、可視光その他の電磁波、重力等により除去される。
【００７８】
このようにして製造された製品粒状物２ｂは、原料粒状物２ａの有用物が変性、変質あるいは実質的に除去されることなく、粒状物２の表面に付着した異物が除去されるとともに表面特性が改善され、粒状物２の表面に原料粒状物２ａとは異なる表面特性が付与された表面加工粒状物である。このような製品粒状物２ｂは、粒状物２の表面に付着した土壌、細菌などの異物が除去されるとともに、粒状物２の表面に不規則で微細な多数の傷が形成されて粗面化し、表層部の破壊性、透水性、浸潤性などの原料粒状物とは異なる表面特性を付与され、これにより製粉性、調理性、衛生性、栄養性、食感などの特性が改善されている。
【００７９】
穀粒などの種子を起源とする粒状食品原料から得られる粒状物２は、難破壊性、難透水性の皮膜層に不規則で微細な多数の傷が形成されて粗面化するので、皮膜層には破壊性、透水性、浸潤性など、原料粒状物２ａとは異なる表面特性が付与され、これにより製粉性、調理性、衛生性、栄養性、食感などの特性が改善された粒状物となっている。表面加工玄米の場合、原料玄米の皮膜層、糊粉層、胚芽などの有用物は除去されず、外観も原料玄米に似ているが、吸水性は高く、短時間の浸漬により調理可能である。また皮膜層の多数の微細傷が炊飯による胚乳部の膨圧増加により拡大して広範な亀裂を生じることにより、摂食時に粗大な皮膜層画分が歯に当たることが軽減され、食感も白米の炊飯物に近い。また、そば丸抜きをそば米として調理する場合も、皮膜層の粗面化により吸水性および食感の向上を図ることができる。
麦類、そばなどのように、調理に先立って製粉する場合、難破壊性の皮膜層は、皮膜層に形成された微細な傷により製粉工程において微粉砕化されるため胚乳などの他の部分の粉砕物中に分散して均質な粉砕物となり、製パン性、製麺性などの加工特性を向上させることが可能となる。
【００８０】
このような表面加工粒状物の加工品は、上記表面加工粒状物が製粉、調理などの２次加工により得られる加工品である。このような加工品は、表面加工粒状物に付与された原料粒状物にない特性が、２次加工によって新たな特性として具現したものである。２次加工が製粉の場合、表層部が微細に粉砕されて分散する粉製品が得られ、また２次加工が調理である場合、分散性、吸水性、調理性などの改善により、風味、食感等に優れた加工品が得られる。加熱されていない表面加工粒状物では、２次加工の浸漬などで酵素類によりγ-アミノ酪酸などの生理活性物質が富化され、調理品に新たな付加価値を賦与できる。
【実施例】
【００８１】
以下、本発明の具体的な実施例について説明するが、本発明はこれらの実施例に限定されるものではない。
【００８２】
〔実施例１〕
本発明の表面加工処理は、原料粒状物２ａの表層部に不規則で微細な傷を形成して粗面化することを特徴としている。そこで、図１ないし図９の装置を用いて表面加工した富山産コシヒカリの表面加工玄米（搗精歩留９９．８％）および未処理の原料玄米の外観形質を、実体顕微鏡を用いて比較検討した。結果を図１０に示す。
図１０Ａの低倍率の顕微画像では、表面加工玄米（Ａ）の頂部右側の胚芽（矢印）は残存しており、腹側（右側面）、背側（左側面）の組織において欠損などの明らかな損傷は確認できず、図１０Ｂの原料玄米（Ｂ）とほぼ同一の外観形質であり、表面加工玄米と原料玄米の肉眼での識別は困難であった。
図１０ＡＬの高倍率の顕微画像では、表面加工玄米（ＡＬ）の表層部に矢印で示す微細傷が認められるが、図１０ＢＬの原料玄米表層部（ＢＬ）には認められなかった。図１０ＡＬおよび図１０ＢＬ中のスケールは、１ｍｍを示している。これらの微細傷により表面加工玄米は咀嚼しやすくなるため、食感が向上すると考えられる。また、表層部の微細傷は吸水性を向上させ、炊飯時の浸漬時間短縮を可能にすると考えられる。
【００８３】
各種米穀の外観形質を分光反射率により評価するために、図１ないし図９の装置を用いて表面加工した表面加工玄米（搗精歩留り９９．８％）、原料玄米、肌ずれ玄米および精米施設で製造した白米（搗精歩留り９０．８％）を白度計で分析した。白度計は青色光（４４０ｎｍ）による反射率測定（４５度）、白色および黒色標準板による等分割計測で行った（ＪＩＳＺ８７２２準拠、ケット科学研究所白度計Ｃ−３００）。結果を表１に示す。
表１の分析結果では、表面加工玄米（２１．５％）と未処理の原料玄米（２１．４％）の白度はほぼ等しく、目視による識別も困難であった。しかし、収穫、乾燥時の調整不良などにより発生し、品質劣化が問題となる肌ずれ玄米の白度（２３．９％）は表面加工玄米より高く、目視により識別が可能であった。なお、日本工業規格による白米の白度基準は４０％（搗精歩留り約９０％）であるが、分析に供した白米は４１．５％であった。
【００８４】
表１  表面加工玄米、原料玄米、肌ずれ玄米および白米の白度
【表１】
2019055372.tif 000003
【００８５】
表２に表面加工玄米（搗精歩留り９９．８％）および未処理の原料玄米中の栄養成分、食物繊維および細菌検査の結果を示す。分析は、財団法人日本食品分析センターに依頼して行った。供試した表面加工玄米および原料玄米の水分含量はそれぞれ１４．７％および１４．６％であったため、栄養成分は乾物換算（ｍｇ／１００ｇ）、食物繊維は乾物換算（ｇ／１００ｇ）で比較した。ビタミンＥは、α-トコフェロールおよびγ−トコフェロールで表示した。
表２の表面加工玄米と原料玄米の栄養成分の分析結果では、ビタミンＢ１、ビタミンＢ６、パントテン酸の分析値は等しく、α-トコフェロールおよびナイアシンは表面加工玄米でわずかに高い傾向が認められた。これらの成分は主に胚芽、糊粉層に局在しているため、分析値がほぼ一致していることは、原料玄米からこれらの組織が除去されずに表面加工玄米に保持されていると考えられる。胚芽や糊粉層が保持されている表面加工玄米中のγ−オリザノール含量（４２．２ｍｇ／１００ｇ）は、高い値を示した。表面加工玄米の不溶性食物繊維（３．０ｇ）と水溶性食物繊維（１．１ｇ）の比率は３：１で、両者の合計は原料玄米とほぼ同一であった。不溶性食物繊維量は、原料玄米（３．４ｇ）に比べ１２％の減少率であった。これは、不溶性食物繊維含量が高い表層部に微細傷をつけて一部を除去したことに起因する可能性があると考えられる。細菌検査に関しては、表面加工玄米の一般細菌数は８．２×１０５／ｇで原料玄米より低く、表面加工処理により表層部に付着していた微生物の一部が加工滓とともに吸引除去されたと考えられる。
【００８６】
表２  表面加工玄米および原料玄米の各種栄養成分、食物繊維および細菌数
【表２】
2019055372.tif 000004
【００８７】
表面加工玄米（搗精歩留り９９．８％）、原料玄米および白米（搗精歩留り９０．５％）の浸漬吸水試験を行うために、前処理として各試料を２０℃、相対湿度７０％の条件で１週間静置して水分調整を行った。供試した原料玄米、表面加工玄米および白米の水分含量は、それぞれ１４．９、１４．９、１５．０％であった（ＡＡＣＣ Ｍｅｔｈｏｄ ４４−１９準拠）。次に、各試料を２０℃の逆浸透水に浸漬し、吸水率の経時変化を調べた。浸漬した試料は１，０５４×gで５分間脱水後、重量を測定して吸水量を計測した（第３回改正国税庁所定分析法注解第３版  財団法人日本醸造協会編準拠、１９８７）。結果を図１１に示す。
図１１の浸漬吸水試験の結果では、浸漬開始後６０分における吸水率は、表面加工玄米が９．８％、原料玄米が６．７％、白米が１９．９％で、表面加工玄米の吸水率は原料玄米の１．４６倍であった。白米の吸水率は、６０分でほぼ上限に達した。表面加工玄米は２４０分で吸水率が１９．３％に達したが、未処理の玄米は３６０分経過しても１７．６％であった。室温における白米（加水量約１５０％）の浸漬時間は３０分から６０分、未処理の原料玄米（加水量約１８０％）の浸漬時間は、３６０分以上が望ましいとされている。表面加工玄米（加水量約１８０％）は、浸漬６０分後に吸水率が約１０％に達して炊飯可能となるが、これは、表層部に形成された微細傷（図１）による吸水性の高さに起因するものと考えられる。
【００８８】
玄米は、発芽時に胚芽などのグルタミン酸脱炭酸酵素によってγ−アミノ酪酸を産生する。本実施例１の表面加工技術は、酵素活性を損なうような高温処理が行われていないため、炊飯時の浸漬工程でγ-アミノ酪酸含量が富化する可能性がある。そこで、コシヒカリの表面加工玄米(搗精歩留り９９．８％）、未処理の玄米および白米(搗精歩留り９０．８％）を室温下（２３℃）で水に浸漬し、γ−アミノ酪酸の富化について比較検討した。浸漬試験およびアミノ酸自動分析装置による分析は財団法人日本食品分析センターに依頼して行った。γ−アミノ酪酸含量の分析結果を表３に示す。
【００８９】
表３において、供試試料の浸漬後の水分含量が異なるため、γ−アミノ酪酸含量は乾物量（ｍｇ／１００ｇ）に換算して比較した。胚芽などを有する表面加工玄米および原料玄米のγ−アミノ酪酸含量は、精米工程で胚芽が除去された白米の含量の３〜５倍の高い値を示した。表面加工玄米は吸水性が高く６０分の浸漬時間で炊飯ができるため、浸漬６０分のγ−アミノ酪酸含量を分析した結果、表面加工玄米および原料玄米では約１６ｍｇ／１００ｇに増加していた。また、一般家庭では、玄米を３６０分以上の浸漬で炊飯する場合が多いため、浸漬３６０分のγ−アミノ酪酸含量についても分析したが表面加工玄米および原料玄米ではやや低下し、浸漬６０分でほぼ上限に達したと考えられる。浸漬３６０分の白米中のγ−アミノ酪酸は１．６ｍｇ／１００ｇで浸漬前と殆ど変わらない低い値を示した。本発明のように酵素活性を損なわずに穀類の吸水率を高めると、２次加工の炊飯調理において白米と同じように６０分の短い浸漬時間でγ−アミノ酪酸のような有用成分を摂取することが可能となる。
【００９０】
表３  表面加工玄米および白米のγ−アミノ酪酸含量
【表３】
2019055372.tif 000005
【００９１】
本実施例では、表面加工処理は乾式条件下で行われ、生じた加工滓は保持筒外部に吸引除去され、表面加工粒状物表面への付着残存が防止されている。そこで、製造した表面加工玄米、原料玄米、無洗米および白米をそれぞれ洗米して濁度を測定し、加工滓の付着残存について検討した。試験洗米法は、全国無洗米協会および米穀公正取引推進協議会方式（旧食糧庁方式）に従い、濁度測定はディジタル濁度計（野田通信株式会社  Ｍ２０４）で日本工業規格（ＪＩＳ  Ｋ０１０１工業用水試験方法）に準拠して行った。この濁度計では、濁度は「ｐｐｍ」で表示されるが、これはＪＩＳ  Ｋ０１０１における「ｍｇ／Ｌ」または「度」に相当する。結果を表４に示す。
表４に示した表面加工玄米（搗精歩留り９９．８％）、未処理の原料玄米、無洗白米および白米（搗精歩留り９０．８％）の洗米水中の濁度測定の結果では、表面加工玄米の濁度は４．４ｐｐｍで洗米が不要とされている無洗米の濁度のわずか２１％という低い値であった。一般的に数回の研米が行われる白米の濁度は表面加工玄米の約２１倍の９２ｐｐｍであった。なお、全国無洗米協会の無洗米の濁度基準値は２８ｐｐｍである。
米飯製造などを行う施設では、工場排水に起因する水質汚濁防止の観点から生物化学的酸素要求量（ＢＯＤ）および化学的酸素要求量（ＣＯＤ）に対する規制がある。表面加工玄米は加工滓などの残存が少ないため、排水基準が適用される米飯工場などにおいて業務用無洗米として利用できることが分かる。
また、本技術で製造した表面加工玄米は吸水率が従来の玄米より高いため（図１１）浸漬時間短縮による炊飯工程の効率化および生産性向上を図ることができる。
【００９２】
表４  表面加工玄米、原料玄米、無洗米および白米の洗米水の濁度
【表４】
2019055372.tif 000006
【００９３】
本発明により調製した表面加工玄米の栄養成分等に関しては、水分量の異なる風乾物あるいは水浸漬物を供試したため、１００ｇ試料中の乾物換算値（水分量０ｇ）で解析を行った（表２）。乾物換算値は栄養成分量の正確な評価に適しているが、食品素材の栄養成分量を比較する目的では、一般的な環境条件における風乾物での表示が実用的である。
そこで、表面加工玄米の栄養成分量を文部科学省「日本食品標準成分表２０１５年版（七訂）」の水分含量（玄米１４．９％）に合わせて換算するとともに、炊飯調理器は一般的に１合単位（１５０ｇ）で調理が行われるため、表面加工玄米１５０ｇ当たりに含まれる含量に換算して実用的な評価を行った。
また、表面加工玄米の栄養成分の充足率は、厚生労働省「日本人の食事摂取基準（２０１５ 年版）」に基づき、対象とする年齢階級は、総務省統計局「人口推計（平成２９年８月報）」により、ピークが高い４０〜４９歳女性（人口比率７．４％）とした。γ−アミノ酪酸については、調理前の浸漬で含量が増加するため、一般的な浸漬時間を室温（２３℃）１時間として摂取量を計算した。結果を表５に示す。
【００９４】
表５の表面加工玄米を一日あたり一合（１５０ｇ）摂食する場合の４０代女性を対象とした栄養素の充足率は、水溶性のビタミンＢ１、ビタミンＢ６、ナイアシンで５０％以上の高い値を示し、パントテン酸も約４０％であった。脂溶性では、ビタミンＥが４０％の高い充足率を示していた。食物繊維に関しては、厚生労働省「栄養素摂取量（２０１５年）」によると４０代女性の食物繊維摂取量は１３ｇであり、毎日の摂取基準量１８ｇに対して５ｇ不足している。表面加工玄米一合中の食物繊維量は５．３ｇであり、不足量を補うことが可能である。γ−オリザノールは視床下部におけるカテコールアミン代謝に関与する中枢抑制作用を有するため更年期障害などの心身症に有効とされているが、表面加工玄米を毎日一合摂食すると約５４ｍｇのγ−オリザノールが消化に伴い緩やかに体内に移行し、中枢神経系に抑制作用を及ぼすことが期待できる。
γ−アミノ酪酸は、１時間浸漬後の表面加工玄米中（一合）に約２０ｍｇ含まれている。γ−アミノ酪酸は抑制性の神経伝達物質として知られているが、脳血流関門を通過できないため脳内で直接生理活性を発現できないとされている。しかし、食道から肛門にいたる消化器官に内在する腸管神経系は脳の中枢神経系と協調していることより、表面加工玄米の消化に伴い放出されるγ−アミノ酪酸が腸管神経系などを介して影響を及ぼすことが考えられる。γ−アミノ酪酸を高濃度で含む食品としては発芽玄米が市販されているが、発芽玄米は白米に３０％程度添加されて調理される場合が多いため、炊飯米中のγ−アミノ酪酸濃度は低下する。本発明の表面加工玄米は、白米などが添加されずに調理されることが多いためγ−アミノ酪酸濃度が高い炊飯米を摂食することが可能である。
本実施例により調製された表面加工玄米は、外層に僅かな擦過傷を有する粗面構造の形成により、炊飯における浸漬時間が無処理の原料玄米と比べ大きく短縮され、食感も向上した。また、表面加工玄米は栄養成分が局在する胚芽、糊粉層を保持した状態で摂食できるため、不足しがちなビタミン類、食物繊維などの栄養成分の供給源として有用であるとともに、神経系に抑制作用を及ぼすとされているγ−オリザノール、γ−アミノ酪酸を消化に伴い緩やかに摂取できることより、更年期障害などの心身症に対する作用が期待できる。
果皮部や糊粉層を有する表面加工玄米の炊飯米は白米の炊飯米に比べわずかに硬く、咀嚼回数が増加する傾向がある。摂食時の咀嚼回数の増加は、さまざまな生理機能を亢進させるため、表面加工玄米の摂食は健康増進に寄与することが期待できる。
【００９５】
表５  表面加工玄米一合中の栄養成分および４０代女性の食事摂取基準に対する充足率
【表５】
2019055372.tif 000007
【００９６】
以上の結果より、従来の精米技術では、搗精歩留り９８％（２分搗き）以下の均質化された分搗き精米の調製は困難とされていたが、本発明の表面加工技術により、原料粒状物からの加工滓量を０．１％単位で制御できる精密精米が可能となり、製造された表面加工粒状物には原料粒状物とは異なる調理性、衛生性、栄養性、表面特性が付与されることが分かる。
【００９７】
〔実施例２〕
本発明の表面加工技術は、うるち米、もち米などの各種玄米の外、パン小麦、麺用小麦、もち性裸麦、大麦、ライ麦などの麦類、そばなどの各種穀粒の表面に微細傷を形成することができる。製粉前処理として表面加工処理を行った後に製造した全粒粉の品質を解析するため、臼式製粉装置で小麦全粒粉を調製し、粒径分布をレーザー回折粒度分布計（ベックマンＬＳ１３３２０）で測定した。表面加工処理の加工滓量は、原料小麦（ゆめかおり）の０．５％に調整した。結果を図１２および表６に示す。
図１２Ａは、表面加工処理を行った後に製粉した小麦全粒粉（Ａ）の、図１２Ｂは、未処理の原麦を製粉した小麦全粒粉（Ｂ）の粒径分布図である。表６の下段には、レーザー回折粒度分布計により計測された平均粒径および減少率が示されている。図１２Ａの表面加工処理を行った後に製造した小麦全粒粉の平均粒径は０．１５９ｍｍ、胚乳部の微細画分のピーク（ａ）は０．０２４ｍｍであった。図１２Ｂの表面加工処理を行わなかった小麦全粒粉の平均粒径は０．１７４ｍｍで、胚乳部の微細画分のピーク（ｂ）は０．０２９ｍｍであった。小麦全粒粉の平均粒径は、表面加工処理により８．６％減少し、表面加工処理により平均粒径が低減した。微細画分のピークは、表面加工処理を行った小麦全粒粉が未処理の全粒粉より高い値を示した。
【００９８】
表面加工処理後の製粉では平均粒径の低減が示されたが、レーザー回折粒度分布計は粒状のガーネット標準粒子などで校正を行うため、扁平なふすま画分を多く含む全粒粉の平均粒径測定は誤差を生じやすい。そこで、食品製造現場で用いられている篩別法を用いて表面加工技術が小麦の製粉性に及ぼす影響を検討した。分析は、開口径０．７１０ｍｍの篩（ＪＩＳ８８０１）を用いて小麦全粒粉を振とう分別し、篩上に残留したふすま画分を多く含む残渣の重量を計測して行った。結果を表６の上段に示す。
【００９９】
表６の上段には、原麦を表面加工処理後に臼式製粉装置で調製した小麦全粒粉と表面加工未処理の原麦から調製した小麦全粒粉の篩残渣量および表面加工処理による減少率が示されている。表６の下段には、前述のレーザー回折粒度分布計による平均粒径の測定値および表面加工処理による減少率が示されている。表６から、表面加工処理後に製粉した小麦全粒粉の篩残渣量（０．６５％）は、未処理原麦から調製した全粒粉の篩残渣量（０．８５％）に比べ２３．５％低下しており、製粉前処理技術として用いた表面加工処理による全粒粉の高品質化が認められた。
前述の通り、レーザー回折粒度分布計による平均粒径の計測では、表面加工処理後に製粉した小麦全粒粉の平均粒径が８．６％減少していたが、表面加工処理による全粒粉では、上記篩残渣量の減少率の結果より、小麦全粒粉の粗大なふすま画分が粉砕されて小粒径画分が増加することにより、平均粒径が減少したものと考えられる。
小麦全粒粉の粗大なふすま画分は、グルテンマトリックスの薄膜を切断し、保持された炭酸ガスなどを漏出させて製パン時の窯のびに悪影響を及ぼすとされている。また、麺製造においては、麺切れや落麺の原因となる。小麦全粒粉の製造前処理として表面加工処理を原麦に施すことは粗大なふすま画分の低減効果をもたらし、製パン性、製麺性などの加工特性の向上に寄与すると考えられる。
【０１００】
表６  表面加工処理が小麦全粒粉の篩残渣および平均粒径に及ぼす影響
【表６】
2019055372.tif 000008
【産業上の利用可能性】
【０１０１】
本発明は、植物の種子を起源とする粒状食品原料その他の粒状物の表面に付着した異物を除去し、粗面形成などの表面加工を施し、有用物を変性、変質あるいは実質的に除去することなく、原料粒状物とは異なる表面特性を有する表面加工粒状物を製造する装置、製造方法、得られる表面加工粒状物、およびその２次加工品に利用可能である。
【符号の説明】
【０１０２】
１  製造装置、  ２  粒状物、  ２ａ  原料粒状物、  ２ｂ  製品粒状物、  ３  保持筒、  ３ａ  保持部、  ３ｂ  透孔、  ３ｃ 、３ｄ  多孔板、  ３ｅ  流路、  ４  回転加工体、  ４ａ、４ｂ、４ｃ  粗面形成材、  ４ａａ、４ｂａ、４ｃａ  加工片、  ４ａｂ、４ｂｂ、４ｃｂ  板状体、  ４ｄ  放出分散材、  ４ｄａ  放出片、  ４ｄｂ  溜め部、  ４ｄｃ  基部、  ４ｕ  加工ユニット、  ５  せき部材、  ５ａ  山部、  ５ｂ  谷部、  ６  回転軸、  ７、７ａ  筒径調節材、  ７ｂ、７ｃ  軸心保持材、  ７ｄ  結束部、  ８  加工滓除去部、  ８ａ  加工滓捕集部、  ８ｂ  加工滓排出路、  ８ｃ  加工滓、  ９  破砕物除去部、  ９ａ  破砕物受け部、  ９ｂ  破砕物排出路、  ９ｃ  破砕物、  １１  係合部、  １１ａ  キー、  １１ｂ  溝、  １２  隙間、  １３  加工物排出路、  １４  選別部、  １５  製品取出部、  １６  固定具、  １７  原料供給部、  １７ａ  搬送筒、１７ｂ  整粒プレート、  １８  搬送スクリュー、  １９、１９ａ  保持部材、  ２０、２０ａ  支持体、  ２１  駆動装置、  ２２  カップリング、  ２３  末端固定具、  ２４  ベアリング。
【図１】
2019055372.tif 000009
【図２】
2019055372.tif 000010
【図３】
2019055372.tif 000011
【図４】
2019055372.tif 000012
【図５】
2019055372.tif 000013
【図６】
2019055372.tif 000014
【図７】
2019055372.tif 000015
【図８】
2019055372.tif 000016
【図９】
2019055372.tif 000017
【図１０】
2019055372.tif 000018
【図１１】
2019055372.tif 000019
【図１２】
2019055372.tif 000020